(57)【要約】【課題】焼成する陶芸作品のサイズや処理量に応じて焼成室の容積を可変でき、無駄な電力消費を抑制できる陶芸用電気炉を提供する。【解決手段】炉床と炉側壁部と炉蓋とを備え、炉側壁部は内張りした耐火断熱材の表面に電熱線を埋め込んだ筒状の炉壁ブロックを１乃至複数個積み上げて構成し、炉蓋は炉側壁部の最上段炉壁ブロックの上部開口を開閉可能に取り付ける。炉床の上に筒状の炉壁炉壁ブロックを１乃至複数個を積み上げて炉側壁部を構成し、最上段炉壁ブロックに炉蓋を取り付けて炉殻を構成した上で各炉壁ブロックの電熱線の発熱量を独立して制御する。【選択図】図１
0003180317.tif 000002
【実用新案登録請求の範囲】
【請求項１】
炉床と炉側壁部と炉蓋とを備えて構成された陶芸用電気炉であって、
前記炉側壁部は筒状鉄皮に内張りした耐火断熱材の表面に電熱線を埋め込んだ筒状炉壁ブロックを１乃至複数個積み上げて構成されており、
前記炉蓋は前記炉側壁部の最上段炉壁ブロックの上部開口を開閉可能に取り付けられており、
前記炉床の上に焼成する陶芸品の大きさ、処理量を考慮した個数の前記炉壁ブロックを積み上げた炉側壁部を載置し、最上段炉壁ブロックに前記炉蓋を取り付けて炉殻を構成し、前記各炉壁ブロックの電熱線の発熱量を独立して制御できるようにしてあることを特徴とする陶芸用電気炉。
【請求項２】
請求項１に記載の陶芸用電気炉において、前記炉床の内張りした耐火断熱材の表面にも電熱線を埋め込み、その発熱量を独立して制御できるようにしてあることを特徴とする陶芸用電気炉。
【考案の詳細な説明】
【技術分野】
【０００１】
本考案は陶芸、ガラス工芸作品、試験用材料等を焼成する陶芸用電気炉に関し、特には被焼成物の大きさ、処理量等に応じて焼成室の容積を変更できる構成とした陶芸用電気炉に関する。
【背景技術】
【０００２】
陶芸家が陶芸用電気炉を購入する際は、制作する作品の最大サイズや１回の最大処理量を考慮して購入する炉を決める。しかし、焼成する陶芸作品には大小、様々なサイズがあり、１回の処理量にも多寡がある。電気炉の内容積に比べて処理量が少ない場合には、昇温、冷却に余分な時間がかかる上、無駄な電力を消費することになる。省エネが叫ばれる今日、このような電力の無駄は好ましくない。
【０００３】
電力の無駄を少なくする最適な方法は、処理量に見合った内容積の電気炉を使用して焼成処理に不要な炉壁部分の加熱をなくすことである。しかし、炉内容積の異なる複数の炉を所有することは多額の費用を必要とし容易でない。このため炉内容積を可変して使用できる構造の電気炉が望まれる。
【０００４】
こうした問題を解決すべく例えば、特許文献１には、平面視矩形状の焼成室内をその長辺方向で分割する平面形状の断熱仕切り壁を備え、短辺方向で対立する側壁の内面には縦向き凹溝を複数形成し、断熱仕切り壁の両表面に電熱ヒータを配設したバッチ式焼成炉が開示されている。この焼成炉の場合は、焼成品の大きさや量に応じて断熱仕切り壁の凹溝への差し込み位置を変えることにより炉内容積を変えることができる。しかし、この焼成炉の場合、焼成室が平面視矩形状であるため高さのある作品の処理は困難である。また、凹溝が形成された側壁や断熱仕切り壁が差し込まれる横向き凹溝が形成された炉床には電熱ヒータが取り付けられていないし、取り付けることも困難である。このため、炉内容積が大きくなる縦向き凹溝を選択して断熱仕切り壁を挿入した場合には十分な加熱能力が得られない問題がある。
【０００５】
また、特許文献２には、電熱ヒータが埋め込み保持された断熱壁で取り囲まれた焼成室を有し、焼成室を囲む断熱壁の何れかが焼成室の内外方向に沿って移動する構成のバッチ式焼成炉が開示されている。しかし、焼成室を囲む断熱壁の何れかを焼成室の内外方向に沿って移動する構成は複雑であり、大がかりになる問題がある。
【先行技術文献】
【特許文献】
【０００６】
【特許文献１】特開平０６−３４７１６９号公報
【特許文献２】特開平０６−３４７１６８号公報
【考案の開示】
【考案が解決しようとする課題】
【０００７】
本考案は、従来技術のこうした問題点を解決するためになされたもので、その課題は陶芸作品を焼成する陶芸用電気炉であって、焼成する陶芸作品の大きさや処理量に応じて焼成室の容積を容易に可変でき、且つ、無駄な電力消費を抑制できる陶芸用電気炉を提供することにある。
【課題を解決するための手段】
【０００８】
前記課題を解決するための請求項１に記載の考案は、炉床と炉側壁部と炉蓋とを備えて構成された陶芸用電気炉であって、炉側壁部は筒状鉄皮に内張りした耐火断熱材の表面に電熱線を埋め込んだ筒状炉壁ブロックを１乃至複数個積み上げて構成されており、炉蓋は炉側壁部の最上段炉壁ブロックの上部開口を開閉可能に取り付けられており、炉床の上に焼成する陶芸品の大きさ、処理量を考慮した個数の炉壁ブロックを積み上げた炉側壁部を載置し、最上段炉壁ブロックに前記炉蓋を取り付けて炉殻を構成し、各炉壁ブロックの電熱線の発熱量を独立して制御できるようにしてあることを特徴とする陶芸用電気炉である。
【０００９】
このような構成によれば筒状炉壁ブロックの個数を変えることで炉内容積を可変できるため、焼成する陶芸品のサイズ、処理量に合わせた最適な炉内容積に調整することができる。このため従来のように各種容積の複数の電気炉を所有する必要はなく、処理量が少ない場合には筒状炉壁ブロックの個数を少なくすることで電力の無駄を省き、昇温、冷却を早めることができる。
【００１０】
また、請求項２に記載の考案は、請求項１に記載の陶芸用電気炉において、炉床の内張りした耐火断熱材の表面にも電熱線を埋め込み、その発熱量を独立して制御できるようにしてあることを特徴とする陶芸用電気炉である。
【００１１】
このような構成の陶芸用電気炉も請求項１に記載の電気炉と同様の効果を奏する。
【図面の簡単な説明】
【００１２】
【図１】本考案に係る陶芸用電気炉の分解斜視図である。
【図２】炉側壁部として筒状炉壁ブロックを３個積み上げた構成の電気炉の全体斜視図である。
【図３】筒状炉壁ブロックを２個積み上げた構成の電気炉の全体斜視図である。
【図４】筒状炉壁ブロックを１個とした電気炉の全体斜視図である。
【考案を実施するための形態】
【００１３】
以下、本考案に係る陶芸用電気炉の一実施形態について図面を参照して説明する。図１はその陶芸用電気炉１の分解斜視図である。陶芸用電気炉１は最下部の炉床２、その上に載置する炉側壁部３、最上部に取り付ける炉蓋４、図示しない電源装置を備えて構成される。
【００１４】
炉床２は、下面を覆う皿状鉄皮６の上面側を耐火断熱材７で表面水平に内張りし、表面に加熱用の電熱線８が埋め込んである。皿状鉄皮の下面側には支持脚９が取り付けてある。電熱線８は側面に取り付けた端子台１０を経由して図示しない外部の電源装置から電源供給を受ける。
【００１５】
炉床２の上に載置される炉側壁部３は、１乃至複数個の筒状に形成された炉壁ブロック１２を積み上げて構成される。各筒状の炉壁ブロック１２は同一の筒状断面に形成されており、外面を覆う鋼製鉄皮の内側を耐火断熱材７で内張りし、その内表面部に加熱用の電熱線８が埋め込んである。電熱線８は外側面に取り付けた端子台１０を経由して図示しない外部の電源装置から電源供給を受ける。本考案の陶芸用電気炉１の特徴として、炉側壁部３は積み上げる炉壁ブロック１２の個数を変えることで高さを調整することができ、焼成する陶芸品のサイズ、処理量に合わせた個数として炉内容積を調節する。積み上げた各炉壁ブロック１２の電熱線８は外部の電源装置により発熱量が独立に制御される。
【００１６】
炉蓋４は炉側壁部３の最上段炉壁ブロック１２の上部開口を開閉可能に覆う。皿を裏返した形状の鉄皮１５の下面側を耐火断熱材７で内張りして形成してある。炉蓋４は最上段炉壁ブロック１２の外側面上部に蝶番１６にて取り付けられる。
【００１７】
図２は炉側壁部３として筒状の炉壁ブロック１２を３個積み上げた構成の陶芸用電気炉の全体斜視図、図３は炉壁ブロック１２が２個、図４は炉壁ブロック１２が１個の場合の全体斜視図である。各炉壁ブロック１２及び炉床２に取り付けられた各電熱線８は、炉殻外側面の端子台１０を経由して電源装置２０に接続され、その発熱量は独立に制御される。
【００１８】
以上説明したように、本考案の陶芸用電気炉は炉側壁部３を構成する筒状の炉壁ブロック１２の個数を変えることで炉内容積を可変することができる。焼成する陶芸品のサイズ、処理量に合わせた個数とすることで炉内容積を最適に調整することができるため、従来のように各種容積の複数の電気炉を所有する必要がない。処理量が少ない場合には、炉壁ブロック１２の個数を少なくすることで電力の無駄を省き、昇温、冷却を早めることができる利点を有する。
なお、前記実施例では炉床２にも電熱線８を埋め込んだが、陶芸品の載置に支障がある場合、または炉壁により熱量が確保できる場合には省いた構成としてもよい。
【符号の説明】
【００１９】
図面中、１は陶芸用電気炉、２は炉床、３は炉側壁部、４は炉蓋、７は耐火断熱材、８は電熱線、１２は筒状の炉壁ブロックを示す。
【図１】
0003180317.tif 000003
【図２】
0003180317.tif 000004
【図３】
0003180317.tif 000005
【図４】
0003180317.tif 000006